(57)【要約】【課題】規則性を有する表面が瓦単位に繰り返していると共により明度差のある経済的な瓦屋根の敷設構造を提供する。【解決手段】隣接する瓦単位同士の７５度鏡面光沢度の平均値の差が２以上である表面を有する屋根瓦が一方の瓦単位と他方の瓦単位との繰り返し順を同じとして縦方向または横方向に複数敷設されてなる瓦屋根の敷設構造。【選択図】　　　　図７
2004116044.tif 000002
【特許請求の範囲】
【請求項１】
瓦屋根の敷設構造であって、
隣接する瓦単位同士の７５度鏡面光沢度の平均値の差が２以上である表面を有する屋根瓦が一方の瓦単位と他方の瓦単位との繰り返し順を同じとして縦方向または横方向に複数敷設されてなることを特徴とする瓦屋根の敷設構造。
【請求項２】
瓦屋根の敷設構造であって、
隣接する瓦単位同士の７５度鏡面光沢度の平均値の差が２以上である表面を有する屋根瓦が一方の瓦単位と他方の瓦単位との繰り返し順を同じとして縦方向および横方向に複数敷設されてなることを特徴とする瓦屋根の敷設構造。
【請求項３】
前記屋根瓦の一方の瓦単位の表面と他方の瓦単位の表面にそれぞれ主方向の異なる凹凸が付与されていることを特徴とする請求項１または２に記載の瓦屋根の敷設構造。
【発明の詳細な説明】
【０００１】
【発明の属する技術分野】
本発明は、屋根瓦を複数敷設した瓦屋根の敷設構造に関する。
【０００２】
【従来の技術】
建築物の屋根として、例えば屋根瓦を敷設して構成したものがある。この屋根は、瓦屋根とよばれ、住居用建物等に広く採用されている。
近年、建物等の屋根表面の外観が重視され、屋根瓦の材料、形状も様々工夫されている。屋根瓦の材料としては、粘土、セメント、金属薄板等が良く用いられる。粘土を材料としたものには、いぶし瓦、無釉瓦、還元瓦、釉薬瓦等があり、セメントを材料としたものには、施釉セメント瓦、高分子繊維強化セメント瓦、コンクリート瓦、厚形スレート瓦、化粧スレート瓦等がある。また、屋根瓦としては、金属薄板を成形した長尺金属瓦も一般的に知られている。屋根瓦の形状も消費者の高級化指向や嗜好の多様性から多種類あり、例えば、本葺形、Ｊ形等は、和風建物の屋根瓦として、Ｓ形、Ｆ形、平形等は、洋風建物の屋根瓦として意匠性の観点から採用されている。なお、図５（ａ）、（ｂ）にはＪ形瓦Ａ、Ａ２の形状を、図６（ａ）、（ｂ）には、平形瓦Ｄ、Ｄ２の形状を例示した。図５において、Ｊ形ダブル瓦Ａ２は、桟部Ｂ端から差し込み部Ｃ端までの寸法がＪ形シングル瓦Ａの２倍に一体成形され、平形ダブル瓦Ｄ２も同様に一体成形され、いずれも屋根瓦としては、２瓦単位である。金属瓦のなかには、瓦単位が十程度のものまである。
【０００３】
しかし、Ｊ形日本瓦と同様に多種、多様な洋風瓦を用いたとしても、瓦屋根表面は同じ色彩で統一され、また、瓦屋根表面は明度差が小さく、消費者のニーズに十分応えることはできなかった。
ここで、図１を用い、上述したＪ形シングル瓦Ａ、Ｊ形ダブル瓦Ａ２をそれぞれ用いた瓦屋根の敷設構造について説明する。図１は、瓦屋根表面上方から見た切妻屋根表面の敷設構造を説明する図であり、巨視的な３次元形状を無視して示した。図中、αは棟側縁、βは破風部縁を示す。図１で符号１は、瓦屋根表面における瓦単位であり、縦方向および横方向に瓦単位が繰り返されて瓦屋根表面が形成されている。なお、瓦単位が１のＪ形シングル瓦Ａを敷設した場合でも、瓦単位が２のＪ形ダブル瓦Ａ２を敷設した場合でも、瓦屋根表面においては、その巨視的な３次元形状の見え方は同じであり、かつ隣接する瓦単位同士の表面状態の差も小さいために、どちらの屋根瓦を用いても、結局、瓦屋根表面は、明度差が小さく、単調なものとなってしまう。また、図２は、符号２で示す瓦単位の屋根瓦を縦方向に１／２　瓦単位だけずらせた屋根瓦屋根の敷設構造を示し、図３、図４には、金属瓦などのようにそれぞれ横方向、縦方向に長い屋根瓦が敷設された場合の瓦屋根の敷設構造を示した。符号３、４で示す瓦単位の屋根瓦がそれぞれ縦方向、横方向に隣接して敷設されている。どの瓦屋根においても隣接する瓦単位同士の表面状態の差が小さく、瓦屋根表面は、明度差が小さく、単調である。
【０００４】
ところで、瓦屋根表面の単調さを改善した瓦として、色調が不規則である窯変調瓦が開発されている（例えば、特許文献１）。
【０００５】
【特許文献１】
特開２００１−２３２６１４号公報
【０００６】
【発明が解決しようとする課題】
しかしながら、窯変調瓦を敷設した場合には、窯変調瓦の色調が不規則であるために、色調が縦方向および横方向に不規則に瓦単位に繰り返す瓦屋根表面となってしまうという問題があった。また、窯変調瓦は、その製造に高度な技能が必要であり、また歩留りも悪いために瓦材料が高価であり、窯変調瓦を敷設した瓦屋根の敷設構造を採用すると、結果として瓦屋根のコストアップにつながるといった経済的な問題もあった。
【０００７】
本発明は、規則性を有する表面が瓦単位に繰り返していると共により明度差のある経済的な瓦屋根の敷設構造を提供することを目的とする。
【０００８】
【課題を解決するための手段】
本発明は、以下の通りである。
１．　瓦屋根の敷設構造であって、隣接する瓦単位同士の７５度鏡面光沢度の平均値の差が２以上である表面を有する屋根瓦が一方の瓦単位と他方の瓦単位との繰り返し順を同じとして縦方向または横方向に複数敷設されてなることを特徴とする瓦屋根の敷設構造。
２．　瓦屋根の敷設構造であって、隣接する瓦単位同士の７５度鏡面光沢度の平均値の差が２以上である表面を有する屋根瓦が一方の瓦単位と他方の瓦単位との繰り返し順を同じとして縦方向および横方向に複数敷設されてなることを特徴とする瓦屋根の敷設構造。
３．　前記屋根瓦の一方の瓦単位の表面と他方の瓦単位の表面にそれぞれ主方向の異なる凹凸が付与されていることを特徴とする上記１．または２．に記載の瓦屋根の敷設構造。
【０００９】
【発明の実施の形態】
先ず、図７を用い、本発明に係る瓦屋根の敷設構造について説明する。
本発明に係る瓦屋根の敷設構造は、隣接する瓦単位同士の７５度鏡面光沢度の平均値の差が２以上である表面を有する屋根瓦（以下、単に瓦ともいう）が一方の瓦単位と他方の瓦単位との繰り返し順を同じとして図７に示すように縦方向および横方向に複数敷設されてなる。その結果、隣接する瓦単位同士の明度差がより明確になっていると共に、規則性を有する表面が瓦単位に繰り返している瓦屋根表面とすることができるのである。
【００１０】
図７は、図１に示した従来の瓦屋根表面と対比して示した、本発明に係る瓦屋根の敷設構造であり、符号５、６が瓦単位である。例えば、図７に示す本発明に係る瓦屋根の敷設構造は、一方の瓦単位５と他方の瓦単位６に主方向の異なる凹凸が付与されている瓦を用い、一方の瓦単位５と他方の瓦単位６との繰り返し順を同じとして縦方向および横方向に瓦を敷設することによって構築することができる。その場合、用いる瓦の一方の瓦単位５と他方の瓦単位６における、それぞれの７５度鏡面光沢度の絶対値を所定値以内とするのが、より一層、規則性を有する表面が瓦単位に繰り返している瓦屋根表面とすることができるために好ましい。なお、隣接する瓦単位５、６同士の７５度鏡面光沢度の平均値の差が２以上と限定した理由は、実施例で述べる。
【００１１】
また、図８に示すように瓦を縦方向に１／２　瓦単位だけずらせた瓦屋根の敷設構造の場合には、一方の瓦単位７と他方の瓦単位８との繰り返し順を同じとして瓦が横方向に敷設されている。金属瓦などのようにそれぞれ横方向、縦方向に長い瓦が敷設された瓦屋根の敷設構造を、図９、図１０に示した。図９に示す瓦屋根の敷設構造においては、一方の瓦単位９と他方の瓦単位１０との繰り返し順を同じとして瓦が縦方向に敷設されてている。また、図１０に示す瓦屋根の敷設構造においては、一方の瓦単位１１と他方の瓦単位１２との繰り返し順を同じとして瓦が横方向に敷設されている。
【００１２】
本発明に係る瓦屋根の敷設構造においては、いずれの場合も隣接する瓦単位同士の７５度鏡面光沢度の平均値の差が２以上である表面を有する瓦が一方の瓦単位と他方の瓦単位との繰り返し順を同じとして、図１、２、３および４に示したように縦方向および／または横方向に複数敷設されている。このためにいずれの瓦屋根の敷設構造においても、隣接する瓦単位同士の明度差がより明確になっていると共に、規則性を有する表面が瓦単位に繰り返している瓦屋根表面とすることができる。
【００１３】
ここで、本発明に用いて好適な瓦を図１２に示す。図１２（ａ）、（ｂ）は、それぞれ所定の方向性を有する凹凸が付与されているＪ形シングル日本瓦Ｅ、Ｆを示し、図１２（ｃ）、（ｄ）は、それぞれ所定の方向性を有する凹凸が付与されている平形シングル洋風瓦Ｉ、Ｊを示す。図中、θは、瓦屋根の流れ方向に対する瓦表面に付与されている凹凸の主方向を表している。瓦屋根の流れ方向は、棟側αから反棟側へ向かう方向である（図７参照）。
【００１４】
例えば、平形シングル洋風瓦Ｉの表面に付与されている凹凸の主方向θを０°（流れ方向に平行）とし、平形シングル洋風瓦Ｊに付与されている凹凸の主方向θを９０°（流れ方向に直角）とすることにより、瓦単位同士の７５度鏡面光沢度の平均値の差が２以上である表面を有する瓦を得ることができる。なお、瓦単位同士の７５度鏡面光沢度の平均値は、光沢度計の入射側および受光側の光軸が平形瓦Ｉ、Ｊのそれぞれの表面における流れ方向と平行になるようにセットして測定した値である。
【００１５】
このように本発明に用いて好適な瓦には、図１２（ａ）、（ｂ）または図１２（ｃ）、（ｄ）に示したようにそれぞれ主方向の異なる凹凸が付与され、瓦単位同士の７５度鏡面光沢度の平均値の差が２以上である表面を有する瓦を用いることができる。例えば、Ｊ形シングル日本瓦Ｅ、Ｆを用い、瓦Ｅ、Ｆの繰り返し順を同じとして縦方向および横方向に屋根瓦を敷設することによって図７に示す瓦屋根の敷設構造を構築することができるし、平形シングル洋風瓦Ｉ、Ｊを用いた場合も同様である。もしくは、図１３（ａ）、（ｂ）に示すようなＪ形ダブル日本瓦Ｈ、または平形ダブル洋風瓦Ｌを用いてもよい。これらは、２瓦単位の瓦Ｈ、瓦Ｌであり、一方の瓦単位と他方の瓦単位には、それぞれ主方向の異なる凹凸が付与されている。なお、図８に示すように瓦を縦方向に１／２　瓦単位だけずらせた瓦屋根の敷設構造の場合には、１瓦単位の長さが長い瓦を用い、一方の瓦単位と他方の瓦単位との繰り返し順を同じとして横方向に複数敷設し、縦方向には１／２　瓦単位だけずらせることにより構築することができる。また、上述した図９、図１０のような瓦屋根の敷設構造を構築するには、例えば一方の瓦単位と他方の瓦単位にそれぞれ主方向の異なる凹凸が付与されている金属瓦などを用いればよい。
【００１６】
以上の説明では、一方の瓦単位と他方の瓦単位に主方向の異なる凹凸が付与されている瓦を用い、瓦屋根の敷設構造を構築するとして説明したが、本発明においては、これに限定されず、瓦単位同士の７５度鏡面光沢度の平均値の差が２以上である表面を有する瓦であればよい。例えば、一方の瓦単位の表面に方向性を有する凹凸が付与され、他方の瓦単位の表面が方向性のないランダムな微細な凹凸で形成されている瓦を用いることができる。表面が方向性のないランダムな微細な凹凸で形成されている瓦としては、例えば無釉薬瓦がある。図１５に示すように一方の瓦単位の表面に方向性を有する凹凸が付与され、他方の瓦単位の表面が方向性のないランダムな微細な凹凸で形成されている２瓦単位の瓦ＧまたはＫを本発明に用いることもできる。このような瓦ＧまたはＫを用いた場合でも、図１１に示すような瓦屋根の敷設構造とすることができる。図１１において、符号５は、一方の瓦単位であり、その表面に方向性を有する凹凸が付与され、符号１は、他方の瓦単位であり、その表面が方向性のないランダムな微細な凹凸で形成されている。あるいは、一方の瓦単位の表面と他方の瓦単位の表面にそれぞれ方向性のないランダムな微細な凹凸が形成されいる瓦を用いることもできる。一方の瓦単位の表面と他方の瓦単位の表面にそれぞれ方向性のないランダムな微細な凹凸が形成されいる瓦を用いることもできる。
【００１７】
本発明に係る瓦屋根の敷設構造においては、縦方向または横方向に隣接する瓦単位同士の凹凸の程度が異なっているため、主に乱反射の差により、より明度差のある瓦屋根表面とすることができると考えられる。
次ぎに、屋根瓦の一方の瓦単位の表面と他方の瓦単位の表面にそれぞれ主方向の異なる凹凸が付与されていることが好ましい理由について、図１４（ａ）〜（ｄ）を用いて説明する。
【００１８】
図１４（ａ）〜（ｄ）は、一方の瓦単位の表面に付与した凹凸の主方向が流れ方向に平行であり、他方の瓦単位の表面に付与した凹凸の主方向が流れ方向に直角とした瓦を用い、瓦屋根の敷設構造とした場合の瓦屋根表面に生じる影を示した模式図である。矢印３１で示す光は、図で右斜め上方から照射されている。このときに、符号２１、２１’、２３、２３’で示す凹部および符号２２、、２２’、２４、２４’で凸部にそれぞれ生じる影を示してある。符号２１ａ　、２２ａ　、２３ａ　、２４ａ　は、主方向が流れ方向に平行な凹凸による影で、一方、符号２１ａ　’、２２ａ　’２３ａ　’、２４ａ　’は、主方向が流れ方向に直角な凹凸による影である。ここで、符号ｇ、ｈ　はそれぞれ矩形状凹凸部の長辺寸法、短辺寸法であり、また、符号ｉ、ｊはそれぞれ楕円状凹凸部の長軸寸法、短軸寸法である。
【００１９】
図１４から、図で右斜め上方から照射されている矢印３１で示す光により生じる陰の面積は、主方向が流れ方向に平行な凹凸による陰である２１ａ　、２２ａ　、２３ａ　、２４ａ　と、主方向が流れ方向に直角な凹凸による陰である２１ａ　’、２２ａ　’２３ａ　’、２４ａ　’とをそれぞれ比較することにより、凹凸の方向によって大きく異なっていることが理解できる。
【００２０】
このように、一方の瓦単位の表面と他方の瓦単位の表面にそれぞれ主方向の異なる凹凸が付与されている瓦を用いた瓦屋根の敷設構造においては、瓦屋根表面における乱反射の差だけではなく、影の差により、より一層、明度差のある瓦屋根の敷設構造とすることができる利点がある。なお、凹凸部の形状は、方向性を有したままである程度変化せしめることもできるし、見る方向によって明度差の程度を任意に変えてもよい。また、明度差にグラアデーションを付与することもできる。
【００２１】
以上、瓦屋根の敷設構造に用いる屋根瓦の形状として、Ｊ形、平形瓦を例に挙げたが、この他にＳ形、Ｆ形、本葺形および洋形も本発明に用いることができる。勿論、本発明は、切妻屋根以外の他の寄棟屋根や入母屋屋根等に適用できる。本発明に使用される瓦の好適な材料としては、粘土、ストレート、石綿ストレート、石綿センメント、プラスチック、ＦＲＰ等の樹脂、強化ガラス、あるいは金属薄板がある。金属瓦は、例えば鉄板、アルミニウム板、銅板、ステンレス鋼板、チタン板、アルミ板等の金属薄板や、亜鉛合金メッキ鋼板、ガルバリウム鋼板、アルミメッキ鋼板、ホーロー鋼板、クラッド鋼板、ラミネート鋼板（塩ビ樹脂鋼板、フッ素樹脂鋼板）、サンドイッチ鋼板（制振鋼板等）、金属薄板を各種色調に塗装したカラー金属板等のうちの一種をプレス成形、押し出し成形、ロール成形等により所定の瓦形状に成形したのもである。これらの複合材でもよい。
【００２２】
本発明に用いる瓦は、瓦表面の凹凸の程度を変えることに得ることができる。例えば、粘土瓦の場合には粒度分布の異なる粘土を使用したり、塗布する釉薬の種類や釉薬の付着量を変えることにより、方向性のないランダムな凹凸の程度が異なった表面を有する瓦を安価に製造することができる。また、本発明に用いる瓦は、粘土、プラスチック、セメント、金属薄板、塗装金属板を所定形状に成形するに際し、対応する凹凸形状をもつ成形工具の使用することにより、容易に製造できる。その他、金属瓦の場合には、瓦単位が十程度のものをプレス成形により製造することも可能である。
【００２３】
また、特開２００２−８１１７４　、特開２００１−７３５０５　号公報に示されたような耐風、耐震性等の機能を有する瓦、特開２００１−１９３２２３号公報に示された縦横ズレ防止性等の機能を有する瓦、特開平８−２７７６０６号公報に示された雨漏り防止性等の機能を有する瓦等にも本発明を適用して瓦として用いることができる。本発明に係る瓦屋根の敷設構造とするには、従来公知の引っ掛け葺き、土葺き、緊結線葺き等を採用することが出来る。また特開２００２−７０２４４　号公報、特開２００１−１９３２２７号公報に示された金属金具で固定する方法、特開平１０−１６９０７３号公報に示された地上ですでにある程度組み立てた後施工するユニット工法、特開２０００−１７７８２　、特開２００１−７３５０５　号公報に示された野地や横桟に釘打ち固定し施工する方法も利用できる。
【００２４】
【実施例】
瓦屋根の敷設構造において、表１に示す１瓦単位の屋根瓦を組み合わせて１０人の被験者により明度差の評価を行った。
【００２５】
【表１】
2004116044.tif 000003
【００２６】
光沢による明度差の評価は、３１．０度勾配（６寸勾配）を持つ、棟側の高さが　２．０　ｍである模擬屋根に、先ず一方の１瓦単位の屋根瓦を模擬屋根に貼り付け、次ぎに他方の１瓦単位の屋根瓦をその右に隣接させて貼り付け、さらに、貼り付けられた一方の屋根瓦の流れ方向である下方に、他方の屋根瓦を隣接させて貼り付け、最後に一方の１瓦単位の屋根瓦を先に貼り付けられた他方の屋根瓦に隣接させて貼り付けて、実際に人が道路から屋根を見上げる角度（仰角０度〜３０度）で被験者が見て下記基準で行った。
【００２７】
模擬屋根に敷設された模擬瓦屋根の縦方向寸法は、１５００ｍｍ、横方向寸法は１５００ｍｍである。また、１瓦単位の寸法は、意匠性の観点から、実際に人が道路から高さが７．５　ｍである建物を見上げた場合に高級感のある瓦屋根と評価されている、縦寸法：２１０　〜４１５　ｍｍ、横寸法：２４０　〜９５５　ｍｍの範囲とした。具体的には、用いた屋根瓦は、縦寸法が３４５　ｍｍ、横寸法が３５５　ｍｍである平形形状のものである。また、用いた屋根瓦のうち、無釉瓦ｍ、ｎ、ｏ、ｐは、丸栄陶業（株）製（製品番号ＦＦ５０グレー）の粘土の粒度分布が異なる粘土瓦であり、７５度鏡面光沢度の平均値は表１中に示した。用いた釉薬瓦ｑ、ｒ、ｓ、ｔは、（株）室崎商店製（製品番号ハイパーフラットＦ４０　）の釉薬付着量が異なる粘土瓦である。流れ方向平行波瓦および流れ方向直角波瓦は、その材料が厚形ストレートである瓦で、前者では、波が瓦屋根の流れ方向に平行となるように付与され、後者は、波が瓦屋根の流れ方向に直角となるように付与されている。また、流れ方向平行波は、波高さが１〜２ｍｍ、で波のピッチ約５ｍｍで形成されている。流れ方向平行筋付き新生瓦および流れ方向直角筋付き新生瓦の筋は、それぞれ上記波と同じ方向に付与され、その筋は、凹凸高さが５０〜５０００μｍ　のものがＰＰＩ（１インチ当たりの山高さの数）で４〜３００　個形成されている。
【００２８】
また、ヘアライン付きステンレス瓦、凸模様付き金属瓦の表面に付与されているヘアライン、凸模様の方向は上述した波や筋と同様に付与されている。ステンレス瓦は、川崎製鉄（株）製であり製品番号ＳＵＳ　３０４　Ｓ　ＨＬで定められたヘアラインが瓦表面に付与されている。凸模様付き金属瓦では、平面で見た主方向である縦寸法が２００　ｍｍ、横寸法が４．５　ｍｍで、凸模様の高さが０．１　〜５．０　ｍｍである凸模様が瓦表面に形成されている。凸模様は、瓦単位当たり２０個付与した。
【００２９】
ここで、上述した無釉瓦ｍ、ｎ、ｏ、ｐ並びに釉薬瓦ｑ、ｒ、ｓ、ｔおよび、波や、筋、ヘアライン、凹凸模様等の凹凸を表面に有する瓦の７５度鏡面光沢度Ｇｓ（７０°）の平均値は、測定口の直径が４５ｍｍのスガ試験機（株）製の光沢度計（型式　ＵＧＶ−５ＤＰ）を使用して、光沢度計の光軸を瓦表面における流れ方向に平行にして測定した。
【００３０】
○：１０人中９人以上が瓦屋根表面の外観が良好と判定した場合、明度差は高い。
△：１０人中６〜８人が瓦屋根表面の外観が良好と判定した場合、明度差は普通。
×：１０人中５人以下が瓦屋根表面の外観が良好と判定した場合、明度差は低い。
【００３１】
表１に示す結果から、明度差が高いと評価された瓦屋根の敷設構造は、隣接する瓦単位同士の７５度鏡面光沢度の平均値の差が２以上である表面を有する屋根瓦が一方の瓦単位と他方の瓦単位との繰り返し順を同じとして縦方向および横方向に複数敷設されてなるものであることがわかる。
【００３２】
【発明の効果】
上述したように本発明に係る瓦屋根の敷設構造よれば、規則性を有する表面が瓦単位に繰り返していると共により明度差のある経済的な瓦屋根表面とすることができる。
【図面の簡単な説明】
【図１】従来の瓦屋根の繰り返し単位を説明する図である。
【図２】従来の瓦屋根の他の繰り返し単位を説明する図である。
【図３】従来の瓦屋根のその他の繰り返し単位を説明する図である。
【図４】従来の瓦屋根のその他の繰り返し単位を説明する図である。
【図５】（ａ）、（ｂ）は従来のＪ形瓦を示す概略斜視図である。
【図６】（ａ）、（ｂ）は従来の平形瓦を示す概略斜視図である。
【図７】本発明に係る瓦屋根の繰り返し単位を説明する図である。
【図８】本発明に係る瓦屋根の他の繰り返し単位を説明する図である。
【図９】本発明に係る瓦屋根のその他の繰り返し単位を説明する図である。
【図１０】本発明に係る瓦屋根のその他の繰り返し単位を説明する図である。
【図１１】本発明に係る瓦屋根のその他の繰り返し単位を説明する図である。
【図１２】本発明に用いて好適な方向性を有する凹凸を付与した屋根瓦の一例を示す斜視図であって、（ａ）、（ｂ）はＪ形瓦、（ｃ）、（ｄ）は平形瓦である。
【図１３】本発明に用いて好適な方向性を有する２瓦単位の屋根瓦の例を示す斜視図であって、（ａ）はＪ形瓦、（ｂ）は平形瓦である。
【図１４】本発明に用いる屋根瓦に付与した方向性のある凹凸の作用の説明図である。
【図１５】本発明に用いて好適な他の２瓦単位の屋根瓦の例を示す斜視図であって、（ａ）はＪ形瓦、（ｂ）は平形瓦である。
【符号の説明】
１〜１２　　瓦単位
θ　流れ方向と瓦表面の凹凸の主方向とがなす角
α　棟側縁
β　破風部縁
Ａ、Ｅ、Ｆ　Ｊ形シングル瓦
Ａ２、Ｇ、Ｈ、Ｊ形ダブル瓦
Ｂ　桟部
Ｃ　差し込み部
Ｄ、Ｉ、Ｊ　平形シングル瓦
Ｄ２、Ｋ、Ｌ　平形ダブル瓦
２１、２１’、２３、２３’　凹部
２２、、２２’、２４、２４’　凸部
ｇ、ｈ　　矩形状凹凸部の長辺寸法、短辺寸法
ｉ、ｊ　楕円状凹凸部の長軸寸法、短軸寸法
２１ａ　、２２ａ　、２３ａ　、２４ａ　　主方向が流れ方向に平行な凹凸による陰
２１ａ　’、２２ａ　’２３ａ　’、２４ａ　’　主方向が流れ方向に直角な凹凸による陰
３１　光の方向を示す矢印
【図１】
2004116044.tif 000004
【図２】
2004116044.tif 000005
【図３】
2004116044.tif 000006
【図４】
2004116044.tif 000007
【図５】
2004116044.tif 000008
【図６】
2004116044.tif 000009
【図７】
2004116044.tif 000010
【図８】
2004116044.tif 000011
【図９】
2004116044.tif 000012
【図１０】
2004116044.tif 000013
【図１１】
2004116044.tif 000014
【図１２】
2004116044.tif 000015
【図１３】
2004116044.tif 000016
【図１４】
2004116044.tif 000017
【図１５】
2004116044.tif 000018